(57)【要約】【課題】簡単及びコンパクトな構造で、気流の拡大及び縮小を制御することができ、消費電力及び騒音が増大することなく風速を上げることができ、吹出口を単一の場合と複数の場合とに切り換えることができる風向制御装置、及び該風向制御装置を備える送風装置を提供する。【解決手段】空気清浄機１の風向制御部１４は、円筒状をなすケーシング１６に、円筒状をなす風向制御体１５を遊嵌してなる。風向制御体１５は、ケーシング１６内を回転駆動される。風向制御体１５及びケーシング１６は、側面に気流を通流させる開口を有する。風向制御体１５の開口とケーシング１６の開口とは周方向長さが異なる。風向制御体１５は、複数の隔壁１５ｂ，１５ｃ，１５ｇを有する。【選択図】図２
2014020652.tif 000002
【特許請求の範囲】
【請求項１】
気流の風向を制御する風向制御体を有し、送風装置に備えられる風向制御装置において、
気流を通流させる開口を有し、前記風向制御体を遊嵌してあるケーシングを備えることを特徴とする風向制御装置。
【請求項２】
前記ケーシングは、円筒状をなし、前記開口は、側面の、少なくとも二部分に設けてあり、
前記風向制御体は、筒状をなし、側面の、少なくとも二部分に、気流を通流させる開口を有し、
前記風向制御体は、前記ケーシング内に同心に遊嵌され、前記風向制御体の軸心周りに回転可能に構成されていることを特徴とする請求項１に記載の風向制御装置。
【請求項３】
前記風向制御体は、該風向制御体の軸心に対して傾斜した複数の風向制御板を軸心方向に並設してあることを特徴とする請求項２に記載の風向制御装置。
【請求項４】
前記風向制御体は、前記複数の風向制御板の傾斜の角度が異なっていることを特徴とする請求項３に記載の風向制御装置。
【請求項５】
前記風向制御体の軸心に平行に該風向制御体を仕切る複数の隔壁を備えることを特徴とする請求項２から４までのいずれか１項に記載の風向制御装置。
【請求項６】
前記風向制御体は、前記複数の隔壁の間隔が気流の上流側と下流側とで異なっていることを特徴とする請求項５に記載の風向制御装置。
【請求項７】
前記風向制御体が有する開口と、前記ケーシングが有する開口とは、周方向の長さが異なっていることを特徴とする請求項２から６までのいずれか１項に記載の風向制御装置。
【請求項８】
前記風向制御体は、同一方向に回転可能に構成されていることを特徴とする請求項２から７までのいずれか１項に記載の風向制御装置。
【請求項９】
吸込口及び吹出口を有するハウジングと、該ハウジング内に収容されている送風機と、該送風機によって前記吸込口から吸い込まれた空気を前記吹出口へ通流させるために前記ハウジング内に形成された通風路とを備える送風装置において、
前記送風機と前記吹出口との間に、請求項１から８までのいずれか１項に記載の風向制御装置を備えることを特徴とする送風装置。
【請求項１０】
パルス状の電圧を放電電極に印加し、該放電電極から帯電粒子を放出させる帯電粒子発生部を備え、
該帯電粒子発生部により放出された帯電粒子を前記送風機により前記吹出口へ通流させるように構成されていることを特徴とする請求項９に記載の送風装置。
【発明の詳細な説明】
【技術分野】
【０００１】
本発明は、送風の向き及び風速を制御する風向制御装置、該風向制御装置を備える送風装置に関する。
【背景技術】
【０００２】
吸込口及び吹出口を有するハウジングと、ハウジング内に収容されている送風機と、送風機によって吸込口から吸い込まれた空気を吹出口へ通流させるための通風路とを備える送風装置、並びに該送風装置に、パルス状の電圧を放電電極に印加し、放電電極から帯電粒子を放出させる例えばイオン発生部等の帯電粒子発生部等を備える空気調和機においては、通常、気流を所望の方向に向けるために吹出口側に風向制御装置を備える。使用者に気流を感じさせたり、また、逆に使用者を気流から遠ざけたり、さらには室内の空気調和を効率良く行ったりするためには気流の方向制御が極めて重要であり、従来、種々の構造の風向制御装置が提案され、実用化されている。
【０００３】
従来の風向制御装置の中で中心となるのは、一般にルーバーと呼ばれる風向制御板であり、吹出口に対して上下方向の気流制御と、左右方向の気流制御とを各々専用の風向制御板で行うようにしたもの等がある。特許文献１には、吹出口を第１の吹出空気が通過する領域と第２の吹出空気が通過する領域とに仕切る仕切羽根を有し、第１の吹出空気を第１方向に向かわせる第１風向調整羽根、及び前記吹出空気を第２方向に向かわせる第２風向調整羽根を、仕切羽根と交差し、かつ鉛直方向に対して傾斜自在に仕切羽根に支持した風向制御装置の発明について開示されている。
特許文献２には、軸方向の風向を制御する複数の風向制御板と、該風向制御板を挟み込み、回転方向に風向を制御する２枚のフラップとを備える風向制御装置の発明について開示されている。
【先行技術文献】
【特許文献】
【０００４】
【特許文献１】特開２００９−６８８２９号公報
【特許文献２】特開２０１０−１４３２６号公報
【発明の概要】
【発明が解決しようとする課題】
【０００５】
従来の風向制御装置は、上述したように、上下方向及び左右方向に気流送出の方向を変更する風向制御装置が一般的であり、吹出気流を、所定の部分に向けて集中的に吹き出す集中気流と、拡散させて吹き出す拡散気流とに容易に切り換えたり、吹出風速を変更させたりすることはできなかった。そして、従来の風向制御装置は、風向制御板を上下方向又は左右方向に往復動作させるために複雑な構造を必要としていた。吹出風速を上げるためには、単純に風量を上げることでも対応できるが、この場合、機体、消費電力、騒音が大きくなる等の問題がある。
また、一つの風向制御装置で、吹出口が単一の場合と、複数の場合とに切り換えることができなかった。
【０００６】
本発明は斯かる事情に鑑みてなされたものであり、簡単及びコンパクトな構造で、気流の拡大及び縮小を制御することができ、消費電力及び騒音が増大することなく風速を上げることができ、吹出口を単一の場合と複数の場合とに切り換えることができる風向制御装置、及び該風向制御装置を備える送風装置を提供することを目的とする。
【課題を解決するための手段】
【０００７】
本発明に係る風向制御装置は、気流の風向を制御する風向制御体を有し、送風装置に備えられる風向制御装置において、気流を通流させる開口を有し、前記風向制御体を遊嵌してあるケーシングを備えることを特徴とする。
【０００８】
本発明に係る風向制御装置は、前記ケーシングは、円筒状をなし、前記開口は、側面の、少なくとも二部分に設けてあり、前記風向制御体は、筒状をなし、側面の、少なくとも二部分に、気流を通流させる開口を有し、前記風向制御体は、前記ケーシング内に同心に遊嵌され、前記風向制御体の軸心周りに回転可能に構成されていることを特徴とする。
【０００９】
本発明に係る風向制御装置は、前記風向制御体は、該風向制御体の軸心に対して傾斜した複数の風向制御板を軸心方向に並設してあることを特徴とする。
【００１０】
本発明に係る風向制御装置は、前記風向制御体は、前記複数の風向制御板の傾斜の角度が異なっていることを特徴とする。
【００１１】
本発明に係る風向制御装置は、前記風向制御体の軸心に平行に該風向制御体を仕切る複数の隔壁を備えることを特徴とする。
【００１２】
本発明に係る風向制御装置は、前記風向制御体は、前記複数の隔壁の間隔が気流の上流側と下流側とで異なっていることを特徴とする。
【００１３】
本発明に係る風向制御装置は、前記風向制御体が有する開口と、前記ケーシングが有する開口とは、周方向の長さが異なっていることを特徴とする。
【００１４】
本発明に係る風向制御装置は、前記風向制御体は、同一方向に回転可能に構成されていることを特徴とする。
【００１５】
本発明に係る送風装置は、吸込口及び吹出口を有するハウジングと、該ハウジング内に収容されている送風機と、該送風機によって前記吸込口から吸い込まれた空気を前記吹出口へ通流させるために前記ハウジング内に形成された通風路とを備える送風装置において、前記送風機と前記吹出口との間に、前述の風向制御装置を備えることを特徴とする。
【００１６】
本発明に係る送風装置は、パルス状の電圧を放電電極に印加し、該放電電極から帯電粒子を放出させる帯電粒子発生部を備え、該帯電粒子発生部により放出された帯電粒子を前記送風機により前記吹出口へ通流させるように構成されていることを特徴とする。
【００１７】
本発明の風向制御装置においては、送風装置に組み込んだ場合に、ケーシング内の風向制御体により通気路の上流側及び下流側の開口面積を制御することにより、簡単な構造で、集中気流と拡散気流とを容易に切り換えることができ、送出される気流の風速を速くしたり、遅くしたりすることができる。その結果、気流を遠くまで届かせたり、送風装置の近傍に拡散させたりすることができる。従って、吹出風速を上げるために風量を上げる必要がなく、機体、消費電力、及び騒音が増大するという問題が生じない。
また、１つの風向制御体により単一の吹出口から気流を吹き出したり、複数の吹出口から気流を吹き出したりすることができる。そして、吹出口を単一の場合と複数の場合とに切り換える動作の中間位置で、気流の吹き出し方向を変更することが可能である。
【００１８】
本発明においては、風向制御体を回転させることにより、容易に通気路の開口面積を制御することができる。
【００１９】
本発明においては、気流の上流側と下流側とで、通気路の開口の軸方向長さを変化させることができる。
【００２０】
本発明においては、気流の上流側と下流側とで、通気路の周方向長さを変化させることができる。
【００２１】
本発明においては、集中気流と拡散気流との切り換え、吹出口の切り換えを容易に行うことができる。
【００２２】
本発明においては、連続的に風向制御体を同一方向に回転させることにより、集中気流と拡散気流との切り換え、吹出口の切り換えを容易に行うことができる。そして、風向制御体を回転させることで、初期位置に戻すことが可能になり、高価な往復動作機構を使用する必要がない。
【００２３】
本発明の送風装置においては、簡単及びコンパクトな構造で、通気路の上流側及び下流側の開口面積を制御することができ、集中気流と拡散気流とを容易に切り換えることができ、１つの風向制御装置により吹出口を単一の場合と複数の場合とに切り換えることができる。
【００２４】
本発明においては、気流に、イオン又は帯電水微細粒子等の帯電粒子を含めて放出することにより、室内の浮遊菌を効率良く殺菌することができる。
【発明の効果】
【００２５】
本発明の風向制御装置によれば、送風装置に組み込んだ場合に、ケーシング内の風向制御体により通気路の上流側及び下流側の開口面積を制御することにより、簡単及びコンパクトな構造で、集中気流と拡散気流とを容易に切り換えることができ、送出される気流の風速を速くしたり、遅くしたりすることができ、気流を遠くまで届かせたり、送風装置の近傍に拡散させたりすることができる。従って、吹出風速を上げるために風量を上げる必要がなく、機体、消費電力、及び騒音が増大するという問題が生じない。
また、１つの風向制御体により単一の吹出口から気流を吹き出したり、複数の吹出口から気流を吹き出したりすることができる。そして、吹出口を単一の場合と複数の場合とに切り換える動作の中間位置で、気流の吹き出し方向を変更することが可能である。
【図面の簡単な説明】
【００２６】
【図１】本発明の実施の形態１に係る空気清浄機を示す外観斜視図である。
【図２】図１のII−II 線断面図である。
【図３】空気清浄機の制御系の構成を示すブロック図である。
【図４】本発明の実施の形態１に係る風向制御部を示す外観斜視図である。
【図５】風向制御部の風向制御体を示す外観斜視図である。
【図６】風向制御部のケーシングを示す外観斜視図である。
【図７】図５のVII −VII 線断面図である。
【図８】図６のVIII−VIII線断面図である。
【図９】図４のIX−IX線断面図である。
【図１０】送風を停止している場合の風向制御部の状態を示す外観斜視図である。
【図１１】送風を停止している場合に、風向制御部を軸心と交叉する鉛直面で切断した状態を示す斜視図である。
【図１２】通常運転を行っている場合の風向制御部の状態を示す外観斜視図である。
【図１３】風向制御部を軸心と交叉する鉛直面で切断した状態を示す斜視図である。
【図１４】風向制御部を、軸心を含む鉛直面で切断した状態を示す断面図である。
【図１５】風向制御部の清浄空気送出モードの状態を示す外観斜視図である。
【図１６】風向制御部を軸心と交叉する鉛直面で切断した状態を示す斜視図である。
【図１７】風向制御部を、軸心を含む鉛直面で切断した状態を示す断面図である。
【図１８】空気清浄機を示す縦断面図である。
【図１９】イオン発生器を示す外観斜視図である。
【図２０】イオン発生器の構成を示すブロック図である。
【図２１】本発明の実施の形態２に係る風向制御体を、軸心と交叉する鉛直面で切断した状態を示す断面図である。
【図２２】本発明の実施の形態３に係る空気清浄機を示す縦断面図である。
【発明を実施するための形態】
【００２７】
（実施の形態１）
以下、本発明をその実施の形態を示す図面に基づいて具体的に説明する。
図１は本発明の実施の形態１に係る空気清浄機１を示す外観斜視図、図２は図１のII−II線断面図、図３は空気清浄機１の制御系の構成を示すブロック図である。図２中、右側が空気清浄機１の正面側に相当する。
空気清浄機１は、本体２、前パネル３、吸込口６、送風機８、第１吹出口１１、第２吹出口１２、風向制御部１４、イオン発生器１７、及び制御部１８を備える。
空気清浄機１の本体２の正面側には、前パネル３が取り外し可能に装着されている。前パネル３を取り外すことにより、後述する集塵フィルタ５及び脱臭フィルタ４の掃除、交換等のメンテナンスを行うことが可能になる。前パネル３は、本体２から所定の間隔をあけて設置されており、本体２と前パネル３との隙間が空気を吸い込む吸込口６となっている。前パネル３は、上部を本体２に引っ掛け、下部をフック７により係止した状態で固定されている。
【００２８】
本体２の上面には操作・表示部１３が設けられている。操作・表示部１３は、使用者により運転の指示を入力する運転指示入力手段１３１、操作に対応する表示をする表示手段１３２、及び異常時の警報等を発する報知手段１３３を有する。運転指示入力手段１３１は、運転のオン／オフ、タイマーのオン／オフ、運転切換え、風量切換え、吹出口選択、及びイオン発生器１７のオン／オフのスイッチ、タイマー時間の設定入力等のボタンを有し、表示手段１３２はそれぞれの操作に対応するＬＥＤを有する。また、図１及び２では図示していないが、空気中の汚れを検知する汚れ検知手段、室内温度を検知する温度検知手段、室内の湿度を検知する湿度検知手段等を備える。
【００２９】
図３に示す制御部１８は、不図示のＣＰＵ(Central Processing Unit)、ＲＯＭ(Read Only Memory)、ＲＡＭ(Random Access Memory )、及び入出力インタフェイス、並びに計時部等を共有バスで接続してなるコンピュータである。ＣＰＵは、ＲＯＭに記憶された制御プログラムをＲＡＭに読出して実行する。
制御部１８には、上述の運転指示入力手段１３１、表示手段１３２、報知手段１３３、イオン発生器１７、温度検知手段、湿度検知手段、汚れ検知手段が接続されている。
【００３０】
本体２の上面に、前記第１吹出口１１及び第２吹出口１２が設けられている。第１吹出口１１は清浄空気が通常送出される吹出口であり、第２吹出口１２は清浄空気を使用者に向けて吹き出す吹出口である。前記制御部１８は、隔壁２４の第２吹出口１２側に設けられている。
【００３１】
前パネル３の内側には前記集塵フィルタ５及び脱臭フィルタ４が正面側から順に設置されている。
脱臭フィルタ４及び集塵フィルタ５のさらに内側で、本体２の中央部には送風機８が吹出口を上方に向けた状態で配置されている。送風機８は、ファン１０及びファン１０を駆動するファンモータ９からなり、正面側を隔壁１９によって隔離されている。隔壁１９にファンモータ９が固定され、後側の隔壁２０に、送風機８に通じる通気孔が形成されている。送風機８は、ファン１０の吸込み音を抑制するために、ファンモータ９を空気清浄機１の正面側に配置し、吸込口を背面側に設置している。ファン１０はターボファンであるが、その他、プロペラファンを採用することも、クロスフローファンを採用することも可能であり、ファンの種類は特に限定されない。ターボファンの場合、ファンの直径に比較して厚さを大きくとり、騒音レベルを下げることができる。また、ファンモータ９は、駆動制御の容易性を重視して直流モータを用いることができる。
【００３２】
送風機８の吹出口は、隔壁２１及び隔壁２２に接続されている。隔壁２１及び隔壁２２は、本発明に係る風向制御部１４を下側から支持する形状になっており、風向制御部１４のケーシング１６の下端部に接続されて送風路を形成する。風向制御部１４の上部は、第１吹出口１１を形成する隔壁２３及び隔壁２４に当接され、風向制御部１４の正面側中央部は、隔壁２４との間で第２吹出口１２を形成する隔壁２５に当接されて、各々の送風路が形成されている。
【００３３】
図４は風向制御部１４を示す外観斜視図、図５は風向制御体１５を示す外観斜視図、図６はケーシング１６を示す外観斜視図、図７は図５のVII −VII 線断面図、図８は図６のVIII−VIII線断面図、図９は図４のIX−IX線断面図である。
風向制御部１４は二つの底面を有する円筒状をなすケーシング１６に、二つの底面を有する円筒状をなす風向制御体１５を遊嵌してなる。風向制御体１５は、図示しないモータ等の回転駆動装置によって、ケーシング１６内を回転駆動される。回転方向は特定されず、同じ方向に連続回転することも可能である。
【００３４】
図５及び図７に示すように、風向制御体１５は、両端部に設けられた円板状をなす端板１５ｍと、軸心方向に並設された板状の風向制御板１５ｒ，１５ｈ，１５ｊ，１５ｋ，１５ｑと、風向制御体１５を軸心に平行に仕切る隔壁１５ｂ，１５ｃ，１５ｇとを備える。端板１５ｍには風向制御体１５を回動させるための回動軸１５ｎが接続されている。回動軸１５ｎの中心軸は、風向制御体１５の中心軸と一致している。
【００３５】
円弧をなす側面１５ｐの上下の端部を接続するように隔壁１５ｃが端板１５ｍ，１５ｍ間に亘って設けられている。側面１５ｐと隔壁１５ｃとで弓型断面をなす。また、側面１５ｐと軸心に対し反対側の側面１５ａには、上端部から所定長、垂下し、軸心側に傾斜した後、再度垂下して下側の円弧に至る隔壁１５ｂが連設されている。側面１５ａの下端部には隔壁１５ｂの上側の屈折点に至る隔壁１５ｇが連設されている。
これらの隔壁によって、風向制御体１５には、円筒の内部に変形した（図７における横幅が変化した）通風路が形成され、円筒の側面（仮想円弧）上に開口部１５ｄ，１５ｅ，１５ｆが軸心方向に延びるように形成される。隔壁１５ｂは上述したように折れ線状の形状をなしているので、仮想円弧上に形成される開口１５ｆは、開口１５ｄよりも広い幅（周方向長さ）を有する。そして、隔壁１５ｂ，１５ｃにより、風向制御体１５には、開口１５ｄと開口１５ｆとを繋ぐ通気路と、開口１５ｅとが形成される。
【００３６】
図９に示すように、風向制御板１５ｑ，１５ｋ，１５ｈ，１５ｒは上下方向の両端部が鉛直方向に延び、中途部が傾斜した屈曲板状をなす。風向制御板１５ｑと１５ｒ、風向制御板１５ｈと１５ｋとは、その傾斜方向が互いに逆方向であり、これらによって通気路の軸方向長さが変化するように設けられている。風向制御板１５ｊは平板であり、特に風向を変更する機能はないが、気流の偏りを抑制するために設けられている。
【００３７】
図６及び図８に示すように、ケーシング１６は、両端部に設けられた円板状をなす端板１６ｋと、分割された円筒の側面１６ａ，１６ｂ，１６ｃと、これらの間に形成された開口１６ｅ，１６ｆ，１６ｄと、開口１６ｅの両端部に接続された脚部１６ｎとを備える。開口１６ｄと開口１６ｅとは同じ大きさであり、開口１６ｆは前記開口１５ｅよりも小さい。端板１６ｋの中央部には、孔１６ｍが設けられている。
開口１６ｄは、隔壁２３，２４を介して第１吹出口１１と接続され、開口１６ｆは隔壁２４，２６を介して第２吹出口１２と接続されている。脚部１６ｎは隔壁２１，２２間に嵌合されており、送風機８は、隔壁２１，２２及び脚部１６ｎを介して開口１６ｅに接続されている。
【００３８】
図４及び図９に示すように、ケーシング１６の内側に風向制御体１５が、回転できる程度の隙間を有した状態で組み込まれている。風向制御体１５の回動軸１５ｎは、ケーシング１６の端板１６ｋに設けられた孔１６ｍを各々貫通している。
図９において、上側の開口が図７の風向制御体１５の開口１５ｆであり、図８のケーシング１６の開口１６ｄに対応する。また、下側の開口が図７の風向制御体１５の開口１５ｄであり、図８のケーシング１６の開口１６ｅに対応する。
【００３９】
以上のように構成された空気清浄機１においては、送風機８により吸込口６から吸い込まれた空気は、後述するようにしてイオンを発生するイオン発生器１７によりイオンを供給された状態で風向制御部１４へ送られ、風向及び風速を制御されて、第１吹出口１１及び／又は第２吹出口１２から吹き出される。
以下、この空気清浄機１の気流送出の方法を風向制御部１４の動作に基づいて説明する。
【００４０】
まず、送風を停止している場合について説明する。
図１０は送風を停止している場合の風向制御部１４の状態を示す斜視図、図１１は送風を停止している場合に、風向制御部１４の軸心と交叉する鉛直面で切断した状態を示す斜視図である。
本実施の形態１に係る空気清浄機１は、停止している場合には空気の送出口である第１吹出口１１及び第２吹出口１２を閉じる。このとき、風向制御体１５の側面１５ｐがケーシング１６の開口１６ｄを閉塞する位置に配され、風向制御体１５の隔壁１５ｂが、ケーシング１６の開口１６ｅを閉塞する。
【００４１】
次に、操作・表示部１３を用いて使用者により通常運転モードが選択されて運転開始の操作がされ、空気清浄機１が運転を行っている場合の状態について説明する。この場合の風向制御部１４の状態を図１２〜図１４に示す。図１２は通常運転を行っている場合の風向制御部１４の状態を示す外観斜視図、図１３は風向制御部１４を軸心と交叉する鉛直面で切断した状態を示す斜視図、図１４は風向制御部１４を、軸心を含む鉛直面で切断した状態を示す断面図である。
本実施の形態に係る空気清浄機１において、通常運転とは、第１吹出口１１を使用して送風を行う運転をいう。このとき、風向制御体１５が図示しない駆動装置によって回転駆動され、風向制御体１５の開口１５ｆが送風機８側に配される。この位置では、ケーシング１６の開口１６ｅが風向制御体１５の開口１５ｆと重なり、ケーシング１６の開口１６ｄが、風向制御体１５の開口１５ｄと重なる。送風機８が送出した気流は、風向制御体１５の隔壁１５ｂにより、図１３における横方向の幅（軸心と交叉する鉛直面の横方向の幅）が縮小されて開口１５ｄに案内される。
【００４２】
また、風向制御体１５は、気流の軸心方向の幅を変更する上述の風向制御板１５ｈ，１５ｋを備えており、風向制御板１５ｈと１５ｊとの間隔、及び１５ｊと１５ｋとの間隔が、開口１５ｆから開口１５ｄに気流が流れるに従って縮小するように配されているので、気流が開口１５ｆから開口１５ｄに案内される間に風向制御部１４の軸心方向の幅も縮小されて送出されることになる。気流の出口が、風向制御部１４の軸心方向と前記横方向との両方向で幅が縮小されることにより、気流速度が開口１５ｆを通過したときよりも速くなる。そのため、送出された気流は第１吹出口１１から強い方向性を持って室内へ送り出される。送出された気流は拡散せず、集中気流であり、室内における到達距離を長くすることができる。
【００４３】
図１３に示されるように、ケーシング１６の開口１６ｄが風向制御体１５の開口１５ｄよりも周方向長さが広いので、その長さの差分、風向制御体１５のケーシング１６に対する傾斜角度を図１３の傾斜角度から変更した場合でも気流の流通が可能であり、例えば空気清浄機１の背面側へ傾けた送風を行うことも可能である。さらに、風向制御体１５の回転を続けた（傾斜角度を変えた）場合、気流の入口になる風向制御体１５の開口１５ｆが、ケーシング１６の開口１６ｅからずれ、気流の入口側の開口面積が小さくなり、通流量が減少する。従って、送風機８を回転制御して送出する風量を減少させ、風切り音を抑制した静穏運転においても、開口１５ｆを通過した穏やかな気流を加速させて開口１５ｄから送出することで、送風を実用可能に行うことができる。このように、風向制御体１５の取り得る傾斜角度の範囲が広く、気流の方向、速度及び到達距離を容易に変更することができ、風切り音を抑制した静穏運転等に容易に切り換えることができ、使用者の利便性の向上が図られている。
【００４４】
次に、使用者に向かって清浄空気を送出する清浄空気送出モードについて説明する。この場合の風向制御部１４の状態を図１５〜図１８に示す。図１５は清浄空気送出モードの風向制御部１４の状態を示す外観斜視図、図１６は風向制御部１４を軸心と交叉する鉛直面で切断した状態を示す斜視図、図１７は風向制御部１４を、軸心を含む鉛直面で切断した状態を示す断面図、図１８は空気清浄機１を示す縦断面図である。
本実施の形態に係る空気清浄機１においては、清浄空気送出モードでは、第１吹出口１１及び第２吹出口１２の両方を使用して送風を行う。風向制御体１５が図示しない駆動装置によって、通常運転状態からさらに約１８０度回転駆動されて、風向制御体１５の開口１５ｄが送風機８側に配される。この位置では、ケーシング１６の開口１６ｅが風向制御体１５の開口１５ｄと重なり、ケーシング１６の開口１６ｄが風向制御体１５の開口１５ｆと重なる。風向制御体１５の開口１５ｄがケーシング１６の開口１６ｅよりも周方向長さが短いため、風向制御体１５の開口１５ｅが、ケーシング１６の開口１６ｅの一部と開口１６ｆとに跨って重なることになる。
【００４５】
送風機８が送出した気流は、風向制御体１５の隔壁１５ｂによって、前記横方向の幅を拡大されて開口１５ｆに案内される。また、風向制御体１５は、軸心方向に風向制御板１５ｈ，１５ｊ，１５ｋを備え、風向制御板１５ｈと１５ｊとの間隔、及び１５ｊと１５ｋとの間隔が、開口１５ｄから開口１５ｆに進行するに伴って拡大するように配されているので、気流は開口１５ｄから開口１５ｆに案内される間に軸心方向と前記横方向との両方向で拡幅されて送出される。
【００４６】
また、ケーシング１６の開口１６ｅは、風向制御体１５の開口１５ｄと開口１５ｅの一部を加えた幅に相当するので、送風機８が送出した気流の一部が風向制御体１５の開口１５ｅにも通流する。風向制御体１５の開口１５ｅに通流した気流は、ケーシングの開口１６ｆから流出し、第２吹出口１２から吹き出される。このような使用方法においては、主たる気流を室内の上方に向けて主たる第１吹出口１１から送出すると同時に、従たる気流を使用者が存在する方向に従たる第２吹出口１２から直接吹き出すことが可能になる。
【００４７】
風向制御体１５は、図示しない駆動装置によってさらに回転駆動されると、風向制御体１５の側面１５ｐが、ケーシング１６の開口１６ｄと重なる位置となって、送風停止の初期状態に戻る。
【００４８】
本発明の空気清浄機１は、通常の空気清浄手段である脱臭フィルタ４及び集塵フィルタ５のほかに、イオン発生器１７を、隔壁１９の上部の、送風機８の吹出口近傍に備えている。図１９はイオン発生器１７を示す外観斜視図、図２０はイオン発生器１７の構成を示すブロック図である。イオン発生器１７は、本体１７ａと、イオン発生部１７ｂ，１７ｃと、コネクタ１７ｄとを備える。イオン発生部１７ｂと１７ｃとは同一の構造を有し、各々針状の放電電極１７１ｂ，１７１ｃと、放電電極１７１ｂ，１７１ｃが中心に設けられた穴あき板金の誘導電極１７２ｂ，１７２ｃとを備える。放電電極１７１ｂと誘導電極１７２ｂとの間、及び放電電極１７１ｃと誘導電極１７２ｃとの間に高電圧を印加して、空気中で放電させることによりイオンが発生する。
【００４９】
本体１７ａには、高圧電気発生部１７ｆが内蔵されており、外部からコネクタ１７ｄを介して電力供給を受ける。コネクタ１７ｄには、駆動信号を発生させる駆動信号発生部１７ｅが接続され、駆動信号発生部１７ｅにより発生した駆動信号は高圧電気発生部１７ｆへ出力される。駆動信号に基づき高圧電気発生部１７ｆにより発生した高圧電気パルスは、正電気発生部１７ｇへ出力されて正の高圧電気パルスが分離され、正の高電圧がイオン発生部１７ｂの放電電極１７１ｂに印加される。これにより放電電極１７１ｂから正のイオンが発生する。同様に、高圧電気発生部１７ｆにより発生した高圧電気パルスは、負電気発生部１７ｈへ出力されて負の高圧電気パルスが分離され、負の高電圧がイオン発生部１７ｃの放電電極１７１ｃに印加される。これにより放電電極１７１ｃから負のイオンが発生する。
【００５０】
以上のように、本実施の形態で使用するイオン発生器１７は２つのイオン発生部１７ｂ，１７ｃを備えており、正イオンと負イオンとが各別に発生する。特に、正イオンをＨ+ （Ｈ2 Ｏ）m （ｍは任意の自然数）、負イオンをＯ2-（Ｈ2 Ｏ）n （ｎは任意の自然数）として発生させ、同時に第１吹出口１１及び／又は第２吹出口１２により空気中に放出させた場合、室内の浮遊菌に正イオンと負イオンとが付着して浮遊菌の表面で化学反応が生じ、そのときに発生する活性種である水酸基ラジカル（・ＯＨ）及び過酸化水素（Ｈ2 Ｏ2 ）により浮遊菌を効率良く殺菌することができる。
しかしながら、イオン発生器１７としては、特にイオン種を限定する必要はなく、負イオン又は正イオンのいずれかを発生させることにしてもよい。また、イオン発生器１７に替えて帯電水微細粒子を発生させる静電霧化器を使用することにしてもよい。
上述のいずれかの送風モードにおいて、本実施の形態においては、正イオン及び／若しくは負イオン、又は帯電水微細粒子を供給することができる。
【００５１】
以上のように構成された本実施の形態の空気清浄器１においては、ケーシング１６内の風向制御体１５により通気路の上流側及び下流側の開口面積を制御することにより、簡単な構造で、集中気流と拡散気流とを容易に切り換えることができ、送出される気流の風速を速くしたり、遅くしたりすることができる。その結果、気流を遠くまで届かせたり、送風装置の近傍に拡散させたりすることができる。
また、１つの風向制御体１５により第１吹出口１１から気流を吹き出したり、第１吹出口１１及び第１吹出口１２の両方の吹出口から気流を吹き出したりすることができる。そして、吹出口を単一の場合と複数の場合とに切り換える動作の中間位置で、気流の吹き出し方向を変更することができる。
【００５２】
気流の方向、速度及び到達距離等の切り換えは使用者の指示により行うことができ、風向制御体１５を同一方向に連続的に回転駆動することで自動的に切り換えることもできる。
そして、本実施の形態においては、風向制御体１５を回転させることで、初期位置に戻すことができ、従来の送風装置のように高価な往復動作機構を備える必要がない。
すなわち、本実施の形態の風向制御部１４によれば、風向制御体１５を往復駆動することなく、回転駆動するだけで停止状態、通常の吹き出し状態、２方向並列の吹き出し状態に切り換えることができる。
なお、回転方向を特定せず、風向制御体１５を随意に時計回り又は反時計回りに回転させるように構成することも可能である。
また、風向制御体１５の隔壁及び開口部の数を増やすこと、並びにケーシング１６の開口部の形状を変更することにより、さらに吹き出し方向を増やすことも可能である。
【００５３】
一般に、空気調和機において吹出し風速を上げるためには、単純に風量を上げることでも対応できるが、消費電力及び騒音が大きくなる等の問題が発生する。また、騒音を抑えて風量を増加させる場合、機体が大きくなる等の問題が発生する。本実施の形態によれば、風量を変えずに、機体、消費電力、及び騒音を大きくすることなく、簡単な構成で容易に風速を上げることが可能である。
【００５４】
さらに、本実施の形態においては、空気清浄機１が、使用者に向けて気流を送出するために第２吹出口１２を有し、風向制御部１４のケーシング１６に従たる通気路が設けられている場合につき説明しているが、この場合に限定されるものではない。使用者に向けて気流を送出する第２吹出口１２を設けずに、又は第２吹出口１２を閉塞可能に構成することにより、ケーシング１６に設けた、従たる開口１６ｆを機体内部に向けた内気循環用に使用することにしてもよい。このように構成することで、室内に気流を送出するときには、同時に機体内部にも気流を送出することができ、正イオン及び／又は負イオンを循環させて内部の除菌を行うことが可能になる。また、開口１６ｆをさらに送風機８寄りに設け、第１吹出口１１を閉塞した状態で、イオンを内気循環させることも可能である。
【００５５】
また、以上の実施形態においては、風向制御体１５に設けられる風向制御板１５ｈ，１５ｋ，１５ｑ，１５ｒを屈曲板形状としているが、鉛直方向に延びる両端部を有さず、傾斜平板として構成することにしてもよく、また、風向制御板１５ｈ，１５ｋ，１５ｑ，１５ｒが、同一方向に傾斜するようにしてもよい。この場合には、風向制御体１５の回転に伴って、室内に送出される気流の送出方向が空気清浄機１の左右側面側方向に変更されるとともに、隔壁１５ｂと隔壁１５ｃとの働きで気流速度が変更された状態で送出されることになる。
【００５６】
そして、風向制御板１５ｈ，１５ｋ，１５ｑ，１５ｒが軸心方向に傾斜せず風向制御板１５ｊと平行であってもよい。この場合には、風向制御体１５の回転に伴って、室内に送出される気流が左右方向に変更されることはないが、隔壁１５ｂと隔壁１５ｃとの働きで気流速度が変更されて送出される。
【００５７】
また、本実施の形態の風向制御部１４はユニットとして形成される場合に限定されるものではない。例えば、ケーシング１６は、本体２の筐体又は隔壁等の仕切り部材と兼用することにしてもよく、端板１６ｋを他の部材と兼用することにしてもよい。
また、風向制御体１５についても軸駆動が可能であればよく、円板状の端板１５ｍを有する場合に限定されず、軸を支持することができる梁状体であってもよい。
【００５８】
（実施の形態２）
本発明の実施の形態２に係る空気清浄機は、風向制御体１５０の軸心と交叉する鉛直面の断面が円形ではなく、円筒側面（円弧）を含む不規則な五角形である点が、実施の形態１に係る空気清浄機１の風向制御体１５と異なる。
図２１は、風向制御体１５０を示す断面図である。
風向制御体１５０は、円筒の側面１５０ｐと側面１５０ａとを含んでいる。側面１５０ｐの上下の端部を接続するように隔壁１５０ｃが設けられている。側面１５０ｐと隔壁１５０ｃとで弓型断面をなす。また、側面１５０ａには、上端部から所定長、垂下し、軸心側に傾斜した後、再度垂下して下側の仮想円の円弧に至る隔壁１５０ｂが連設されている。側面１５０ａの下端部には隔壁１５０ｂの上側の屈折点に至る隔壁１５０ｇが連設されている。
【００５９】
本実施の形態においては、開口１５０ｄ，１５０ｅ，１５０ｆから視認される、風向制御体１５０の端板の端縁が直線状をなしている。各々の隔壁１５０ｂ，１５０ｃ，１５０ｇが仮想円と交差する点が確保されていれば、その他の部分の形状は重要ではない。
また、円筒側面１５０ｐ，１５０ａも曲面状ではなく、直線状に置き換えることも可能であり、外形（断面）を不規則な多角形とすることができる。
但し、風向制御体１５０の外形を図２１に示すように構成する場合、又は上述のように構成する場合において、該風向制御体１５０を収納して通風路を確保するケーシングは円筒形であることが必要であり、実施の形態１に係るケーシング１６を使用する必要がある。
【００６０】
本実施の形態においても、実施の形態１と同様に、簡単な構造で、集中気流と拡散気流とを容易に切り換えることができ、１つの風向制御体１５により単一の吹出口から気流を吹き出したり、複数の吹出口から気流を吹き出したりすることができる。
【００６１】
（実施の形態３）
図２２は、本発明の実施の形態３に係る空気清浄機３０を示す縦断面図である。空気清浄機３０は、実施の形態１に係る空気清浄機１とイオン発生器１７の設置位置が異なること以外は、空気清浄機１と同一の構造を有する。
【００６２】
一般に、イオン発生器等の帯電粒子発生器を備える空気調和機では、帯電粒子発生器から発生する帯電粒子（イオン又は帯電水微細粒子）を含んで流通する気流の速度が速いほど、大量に帯電粒子を室内に放出することができる。
本実施の形態の風向制御部１４から排出される気流は、送出風速を増加させることができるので、送出風速を制御して帯電粒子の供給量を変更することが可能になる。この場合、本発明の実施の形態１のように送風機８の吹出口近傍にイオン発生器１７を備えるのではなく、第１吹出口１１に備える。すなわち、隔壁２４の開口１６ｄ側にイオン発生器１７を設ける。
【００６３】
本実施の形態においては、空気調和機３０を使用中に、多くのイオン（イオン発生器１７の代わりに静電霧化装置を備える場合は帯電水微細粒子）が求められる場合に、風向制御体１５を回転駆動して、気流の送出面積を縮小して送風速度を速くする送風モードにする。このようにすることで、拡散気流を使用する場合よりも多くのイオン（又は帯電水微細粒子）を室内へ送出することが可能になる。
【００６４】
このような送風モードの変更は、操作・表示部１３にその選択手段を設けて使用者が入力することにしてもよく、さらに空気中の汚れを検知する汚れ検知手段、温度検知手段、及び湿度検知手段からの入力を制御部１８により判断して、自動運転で切り換えて対応することにしてもよい。
【産業上の利用可能性】
【００６５】
本発明によれば、上述の空気調和機のみに限定されず、気流の拡大若しくは縮小を行い、気流の送出速度を変更すること、又は気流の吹出口を単一の場合と複数の場合とに切り換えることが求められる送風装置を備えるあらゆる機器において、産業上の利用が可能である。
【符号の説明】
【００６６】
１、３０  空気清浄機
２  本体
３  前パネル
４  脱臭フィルタ
５  集塵フィルタ
６  吸込口
８  送風機
９  ファンモータ
１０  ファン
１１  第１吹出口
１２  第２の吹出口
１３  操作・表示部
１４  風向制御部
１５  風向制御体
１５ａ、１５ｐ  側面
１５ｂ、１５ｃ、１５ｇ  隔壁
１５ｄ、１５ｅ、１５ｆ  開口
１５ｍ  端板
１５ｈ、１５ｊ、１５ｋ、１５ｒ、１５ｑ  風向制御板
１５ｎ  回転軸
１６  ケーシング
１６ａ、１６ｂ、１６ｃ  側面
１６ｄ、１６ｅ、１６ｆ  開口
１６ｋ  端板
１６ｍ  孔
１６ｎ  脚部
１７  イオン発生器
１８  制御部
１９、２１、２２、２３、２４、２５  隔壁
【図１】
2014020652.tif 000003
【図２】
2014020652.tif 000004
【図３】
2014020652.tif 000005
【図４】
2014020652.tif 000006
【図５】
2014020652.tif 000007
【図６】
2014020652.tif 000008
【図７】
2014020652.tif 000009
【図８】
2014020652.tif 000010
【図９】
2014020652.tif 000011
【図１０】
2014020652.tif 000012
【図１１】
2014020652.tif 000013
【図１２】
2014020652.tif 000014
【図１３】
2014020652.tif 000015
【図１４】
2014020652.tif 000016
【図１５】
2014020652.tif 000017
【図１６】
2014020652.tif 000018
【図１７】
2014020652.tif 000019
【図１８】
2014020652.tif 000020
【図１９】
2014020652.tif 000021
【図２０】
2014020652.tif 000022
【図２１】
2014020652.tif 000023
【図２２】
2014020652.tif 000024